【手続補正書】
【提出日】平成25年12月13日(2013.12.13)
【手続補正１】
【補正対象書類名】特許請求の範囲
【補正対象項目名】全文
【補正方法】変更
【補正の内容】
【特許請求の範囲】
【請求項１】
入射光に対して所定角度をなすように配置された透光性基板と、
この透光性基板の入射側表面に、入射光を互いに直交する第１の直線偏光と第２の直線偏光とに分離して、前記第１の直線偏光を透過させ、第２の直線偏光を反射する偏光分離部と、
前記透光性基板と略平行に配置され、この偏光分離部で反射された前記第２の直線偏光を、前記偏光分離部を透過した前記第１の直線偏光の光路と略平行な方向に反射する反射素子と、を有し、
前記透光性基板は、複屈折性と旋光性を有する結晶材料からなり、
前記偏光分離部を透過し前記透光性基板に入射した前記第１の直線偏光は、この第１の直線偏光の偏波面を維持したまま前記透光性基板の出射側表面から出射し、
前記透光性基板の出射側には、前記透光性基板を透過した前記第１の直線偏光の偏波面を前記第２の直線偏光の偏波面と平行になるように変換し第２の直線偏光として出射する位相差板が配置されていることを特徴とする偏光変換素子。
【請求項２】
請求項１に記載された偏光変換素子において、
前記所定角度は略４５（ｄｅｇ）あるいは１３５（ｄｅｇ）であることを特徴とする偏光変換素子。
【請求項３】
請求項１又は請求項２に記載された偏光変換素子において、
前記結晶材料が水晶であることを特徴とする偏光変換素子。
【請求項４】
請求項３に記載された偏光変換素子において、
前記入射光の光軸に垂直な平面に前記透光性基板の結晶光学軸を投影した投影光学軸と、前記第１の直線偏光の偏波面とのなす角を方位角θとしたとき、θ＝０（ｄｅｇ）であることを特徴とする偏光変換素子。
【請求項５】
請求項４に記載された偏光変換素子において、
前記透光性基板の結晶光学軸と前記入射光の光軸とのなす角を交差角ｘとし、
前記透光性基板の結晶光学軸と前記入射光の光軸との交点に、前記結晶光学軸と前記入射光の光軸とを含む平面に垂直な方向にたてた軸を中心軸とし、
前記結晶光学軸と前記入射光の光軸とを含む平面に垂直な方向から見て、前記中心軸の反時計周りの方向を正（プラス）としたとき、
前記交差角ｘは、
−９０（ｄｅｇ）≦ｘ≦＋９０（ｄｅｇ）
を満足することを特徴とする偏光変換素子。
【請求項６】
請求項５に記載された偏光変換素子において、
前記交差角ｘと前記透光性基板の板厚の最大値ｙとが、
−９０（ｄｅｇ）≦ｘ≦−８０（ｄｅｇ）
ｙ＝−０．００５８ｘ２−０．９６７２ｘ−３８．８５８（ｍｍ）
を満足することを特徴とする偏光変換素子。
【請求項７】
請求項５に記載された偏光変換素子において、
前記交差角ｘと前記透光性基板の板厚の最大値ｙとが、
−８０（ｄｅｇ）＜ｘ≦−５５（ｄｅｇ）
ｙ＝２×１０−６ｘ５＋０．０００８ｘ４＋０．１１４５ｘ３＋７．９７３８ｘ２
＋２７６．９２ｘ＋３８４２．１  （ｍｍ）
を満足することを特徴とする偏光変換素子。
【請求項８】
請求項５に記載された偏光変換素子において、
前記交差角ｘが、
−５５（ｄｅｇ）＜ｘ≦−３５（ｄｅｇ）
を満足することを特徴とする偏光変換素子。
【請求項９】
請求項５に記載された偏光変換素子において、
前記交差角ｘと前記透光性基板の板厚の最大値ｙとが、
−３５（ｄｅｇ）＜ｘ≦−１５（ｄｅｇ）
ｙ＝−４×１０−５ｘ４−０．００４５ｘ３−０．１８２８ｘ２−３．１８３１ｘ
−１８．４４９    （ｍｍ）
を満足することを特徴とする偏光変換素子。
【請求項１０】
請求項５に記載された偏光変換素子において、
前記交差角ｘと前記透光性基板の板厚の最大値ｙとが、
−１５（ｄｅｇ）＜ｘ≦＋５（ｄｅｇ）
ｙ＝９×１０−６ｘ４＋０．０００２ｘ３＋０．００７１ｘ２＋０．１７８６ｘ
＋２．４６０７  （ｍｍ）
を満足することを特徴とする偏光変換素子。
【請求項１１】
請求項５に記載された偏光変換素子において、
前記交差角ｘと前記透光性基板の板厚の最大値ｙとが、
＋５（ｄｅｇ）＜ｘ≦＋１０（ｄｅｇ）
ｙ＝−０．５５９７ｘ＋６．３５４１  （ｍｍ）
を満足することを特徴とする偏光変換素子。
【請求項１２】
請求項５に記載された偏光変換素子において、
前記交差角ｘと前記透光性基板の板厚の最大値ｙとが、
＋１０（ｄｅｇ）＜ｘ≦＋３０（ｄｅｇ）
ｙ＝１×１０−５ｘ４−０．０００８ｘ３−０．０２２４ｘ２−０．２８３３ｘ
＋２．０２７６  （ｍｍ）
を満足することを特徴とする偏光変換素子。
【請求項１３】
請求項５に記載された偏光変換素子において、
前記交差角ｘと前記透光性基板の板厚の最大値ｙとが、
＋３０（ｄｅｇ）＜ｘ≦＋３５（ｄｅｇ）
ｙ＝０．３８７８ｘ−１０．９３１  （ｍｍ）
を満足することを特徴とする偏光変換素子。
【請求項１４】
請求項５に記載された偏光変換素子において、
前記交差角ｘと前記透光性基板の板厚の最大値ｙとが、
＋３５（ｄｅｇ）＜ｘ≦＋７５（ｄｅｇ）
ｙ＝５×１０−９ｘ６−２×１０−６ｘ５＋０．０００２ｘ４−０．０１７６ｘ３
＋０．７４４１ｘ２−１６．９７２ｘ＋１６５．７２  （ｍｍ）
を満足することを特徴とする偏光変換素子。
【請求項１５】
請求項５に記載された偏光変換素子において、
前記交差角ｘと前記透光性基板の板厚の最大値ｙとが、
＋７５（ｄｅｇ）＜ｘ＜＋９０（ｄｅｇ）
ｙ＝９×１０−５ｘ３−０．０２１５ｘ２＋１．６７６１ｘ−４２．１７６  （ｍｍ）
を満足することを特徴とする偏光変換素子。
【請求項１６】
請求項１から請求項１５のいずれかに記載された偏光変換素子において、
前記偏光分離部は金属ワイヤーグリッドで構成されることを特徴とする偏光変換素子。
【請求項１７】
請求項１から請求項１５のいずれかに記載された偏光変換素子において、
前記偏光分離部は誘電体多層膜で構成されることを特徴とする偏光変換素子。
【請求項１８】
請求項１から請求項１７のいずれかに記載された偏光変換素子において、
前記反射素子は、水晶板と、この水晶板の表面に設けられたミラー部とを有することを特徴とする偏光変換素子。
【請求項１９】
請求項１から請求項１８のいずれかに記載された偏光変換素子において、
前記第２の直線偏光は、前記透光性基板を透過しないことを特徴とする偏光変換素子。
【請求項２０】
請求項１から請求項１９のいずれかに記載された偏光変換素子と、この偏光変換素子を保持する保持部材と、を備え、
前記保持部材は、前記透光性基板の両端部と前記反射素子の両端部とをそれぞれ保持する一対の保持板と、
当該一対の保持板の両端部をそれぞれ連結する一対の連結板と、を有することを特徴とする偏光変換ユニット。
【請求項２１】
請求項２０に記載された偏光変換ユニットにおいて、
前記一対の保持板と前記一対の連結板とは一体に形成され、
前記一対の保持板の互いに対向する部分には前記透光性基板と前記反射素子とをそれぞれ案内するガイド溝が設けられ、
前記ガイド溝は前記一対の保持板の一側面にそれぞれ開口されていることを特徴とする偏光変換ユニット。
【請求項２２】
請求項２１に記載された偏光変換ユニットにおいて、
前記一対の保持板と前記一対の連結板とは別体に形成され、
前記一対の連結板は前記一対の保持板を互いに向き合う方向に付勢する係合片を有することを特徴とする偏光変換ユニット。
【請求項２３】
光源と、
前記光源からの光を前記第２の直線偏光に変換して出射する偏光変換素子と、
前記偏光変換素子からの出射光を、投写しようとする画像情報に応じて変調する光変調手段と、
前記光変調手段により変調された光を投写する投写光学系と、
を有し、
前記偏光変換素子が請求項１から請求項１９のいずれかに記載の偏光変換素子であることを特徴とする投写型映像装置。
【請求項２４】
請求項２３に記載された投射型映像装置において、
前記光変調手段は液晶パネルであることを特徴とする投写型映像装置。